(57)【要約】  【課題】  本発明は、デザイン性に優れ、幅広なハンドル飾りでも簡単な構成で強固に取付けることができる冷蔵庫を提供することを目的とする。  【解決手段】  扉外板２１と扉内板２２とドアキャップ２５とこれらの空間部に充填された断熱材２３とからなる扉９と、ドアキャップ２５の前方からほぼ下方に延在させた手掛け部３０を構成する手掛け片３１と、この手掛け片３１の前方下部に形成した係合部３５と、ドアキャップ２５の上面部２５ａから手掛け片３１のほぼ下端に亙ってこれらを覆い、上方向からの押圧によって係合部３５と係合してドアキャップ２５に取付けられるハンドル飾り４０とを備えた。【選択図】  図１
2006090662.tif 000002
【特許請求の範囲】
【請求項１】
扉外板と扉内板とドアキャップとこれらの空間部に充填された断熱材とからなる扉と、前記ドアキャップの前方から内方に延在させた手掛け部を構成する手掛け片と、この手掛け片の前方下部に形成した係合部と、前記ドアキャップの外面部から手掛け片のほぼ下端に亙ってこれらを覆い、外方向からの押圧によって前記係合部と係合して前記ドアキャップに取付けられるハンドル飾りとを備えたことを特徴とする冷蔵庫。
【請求項２】
係合部は手掛け片の下端面から上方に立設させた複数の係合片であり、ハンドル飾りの前面の裏側には、この係合片と係合するほぼＬ字状のフックを形成したことを特徴とする請求項１に記載の冷蔵庫。
【請求項３】
係合片の両側には手掛け片の前面と一体成形した側壁を形成し、この側壁をハンドル飾りの裏面形状に合わせて上方に延在させたことを特徴とする請求項２に記載の冷蔵庫。
【請求項４】
フックと対向する部分の手掛け片の肉厚は、他の部分よりも薄肉としたことを特徴とする請求項１ないし３のいずれかに記載の冷蔵庫。
【発明の詳細な説明】
【技術分野】
【０００１】
本発明は、手掛け部にハンドル飾りを取付けた冷蔵庫に関し、特にハンドル飾りの取付け構造に関する。
【背景技術】
【０００２】
従来より、デザイン性や高級感などの印象を与えるために、手掛け部を有するドアキャップの前面にハンドル飾りを取付けた冷蔵庫が市場に供されている。図８は、従来のハンドル飾りを示す縦断面図であるが、ハンドルキャップ５１に取付けられた手掛け片５２の上面には、ほぼＬ字状に形成したハンドル飾り５３を設けており、左下端に設けたリブ５４を手掛け片５２に嵌入させて取付けている。また、ハンドル飾り５３の右端は手掛け片５２の右端を覆い、前方から手掛け片５２を見えないようにさせている（例えば、特許文献１）。
【０００３】
一方、図９は、他の従来のハンドル飾りを示す縦断面図であるが、この構成によるハンドル飾り６４は、手掛け片６１の右端に設けたリブ６２にハンドル飾り６４の右端を掛けて位置決めした後に、回転させながら係合部６３の係合により取付固定している（例えば、特許文献２）。
【特許文献１】特開平８−２９６９５４号公報
【特許文献２】特開２００３−１８５３３０号公報
【発明の開示】
【発明が解決しようとする課題】
【０００４】
しかしながら、特許文献１の構成では、ハンドル飾り５３が手掛け片５２よりも突出していることから、開扉の際に指がハンドル飾りに引掛かり、外れてしまう恐れがある。
【０００５】
この場合、特許文献２の構成のように、ハンドル飾り６４の右端を手掛け片６１に掛けることで、上記のような問題を解消することができるが、ハンドル飾り６４の横幅が大きくなると、ハンドル飾り６４も扉のラウンド形状に合わせて成形するため、端部を引掛けて回転させながら取付けることができなくなる。
【０００６】
一方、ハンドル飾りの下端部にリブを延出させ、手掛け部の前面に設けた孔などに嵌合させることにより、ハンドル飾りを強固に取付ける構成も考えられるが、これでは手掛け部が前方から見えてしまいデザイン上好ましくない場合がある。
【０００７】
また、粘着テープなどで取付ける方法も考えられるが、これではハンドル飾りを取外すことができないため、破損した場合には交換することができずサービス性が悪い。さらに、ネジなどによって固定する方法も考えられるが、これではネジ隠しのための部品が別途必要となり、部品点数が増加することになる。
【０００８】
本発明は上記問題を考慮してなされたものであり、デザインに優れ、幅広なハンドル飾りでも簡単な構成で強固に取付けることができる冷蔵庫を提供することを目的とする。
【課題を解決するための手段】
【０００９】
本発明の冷蔵庫は、扉外板と扉内板とドアキャップとこれらの空間部に充填された断熱材とからなる扉と、前記ドアキャップの前方から内方に延在させた手掛け部を構成する手掛け片と、この手掛け片の前方下部に形成した係合部と、前記ドアキャップの外面部から手掛け片のほぼ下端に亙ってこれらを覆い、外方向からの押圧によって前記係合部と係合して前記ドアキャップに取付けられるハンドル飾りとを備えたことを特徴とする。
【発明の効果】
【００１０】
上記発明によれば、ハンドル飾りの下端は手掛け片の下端を覆っていないため、開扉動作の際に指が引掛かり取外れてしまうことを防止することができるとともに、手掛け片の前方下部に形成した係合部において、ハンドル飾りを強固に取付けることができる。
【発明を実施するための最良の形態】
【００１１】
以下に図１ないし図７を参照して本発明に係る冷蔵庫の一実施形態について説明する。
【００１２】
図７は冷蔵庫の正面図であり、冷蔵庫本体１内には、冷蔵室２，野菜室３，製氷室４，冷凍室６を上から順に設けて配設しており、製氷室４の側方には仕様切替室５を設けている。なお、特に図示しないが本体内部に配設された蒸発器及びファンの作用により各貯蔵室が冷却され、それぞれの設定温度に保持されている。
【００１３】
冷蔵室２の前面には冷蔵室扉７を一端を枢支して回転自在に設けており、野菜室３，製氷室４，仕様切替室５，冷凍室６の前面にはそれぞれ引出し式の扉９〜１２をそれぞれ前後方向に引出し自在に設けている。
【００１４】
各扉９〜１２の構造はほぼ同一であるため、野菜室３に設けられた扉９を代表してその構造について説明する。図１は本発明の一実施形態を示す扉の分解図であり、図２は図７のＡ−Ａ線に沿う野菜室扉の断面図であり、図３，４，５はガスケットを省略した図１のＢ−Ｂ線，Ｃ−Ｃ線，Ｄ−Ｄ線に沿う拡大断面図であり、図６は図１の手掛け片を示す拡大図である。
【００１５】
図１〜５に示すように、扉９は、２辺を後方に折り曲げ幅方向に亙って弓状に湾曲させた扉の前面と側面とを構成する扉外板２１と、背面を構成する扉内板２２との上下端をドアキャップ２５により閉塞し、内部空間内に断熱材２３を現場発泡により充填させて構成している。また、扉内板２２の内周縁には、図２に示すようにガスケット２４を取付けている。
【００１６】
ドアキャップ２５の上面部２５ａには凹部２６を形成させており、この凹部２６の後方側には、複数箇所に嵌入孔２７を穿設している。ドアキャップ２５の前部２５ｂは前方に延出させており、この前部２５ｂにはほぼ下方に向けて延在させた手掛け片３１を一体成形している。この手掛け片３１は手掛け部３０を構成しており、この手掛け部３０に指が入り易いように扉外板２１の上部は後方に湾曲させている。
【００１７】
手掛け片３１の下端面３２には、前面３１ａから例えば３ｍｍ程度離間させた位置に、幅方向に亙って複数設けた係止片３５を立設させている。この係止片３５はコ字状に成形されており、そのの左右両側には、係止片３５の強度を高めるために、側壁３７を前面３１ａまで延在させて手掛け片３１と一体成形させている。
【００１８】
中央部に設けた係止片３５の側壁３７は、図５にも示すようにドアキャップ２５の上面部２５ａまで上方に向けて延在させており、その前面は、ハンドル飾り４０を取付ける際のガイドとなるように傾斜させている。なお、本実施形態では、中央部のみ上方に延在させているが、他の係止片３５においても同様の形状としてもよい。
【００１９】
また、係止片３５とハンドル飾り４０を係止させるためにスペースが必要となるため、ハンドル飾り４０を取付けても手掛け部３０の前部が肉厚とならないよう、係止片３５と対向する手掛け片前面３１ａの肉厚を、他の部分の肉厚、例えば２．５ｍｍを１．５ｍｍと薄肉としている。逆に、他の部分を肉厚とすることで、手掛け片３１の強度を強くしている。
【００２０】
４０は、扉９のデザイン性などの目的により取付けられるハンドル飾りであり、ＡＢＳなどの合成樹脂にメタルコートが施され、断面Ｌ字状に形成している。図３に示すように、ハンドル飾り前面４０ａの裏側の下部には、Ｌ字状に成形したフック４１を立設させており、上側から押圧することで係止片３５と係合するようになっている。また、図４に示すように、ハンドル飾り上面４０ｂの裏側の後部には、係止爪４２を立設させており、上側から押圧することでドアキャップ２５の嵌入孔２７に嵌入し固定されるようになっている。
【００２１】
さらに、本実施形態では、手掛け片３１の下端部を、ハンドル飾り４０の下端部より若干、例えば、０．１〜０．５ｍｍ程度下方に延在させている。これにより、手掛け部３０に手を掛けたときに、ハンドル飾り４０に手が掛からず、ハンドル飾り４０が外れてしまうことを防止することができる。また、手掛け部３０は、通常、目線の高さよりも下方に配置されており、手掛け片３１が下方に延出していると認識することができないため、デザイン性を損なうことがない。
【００２２】
次に、ハンドル飾り４０の取付け方法について説明する。ハンドル飾り４０は、扉外板２１と扉内板２２とドアキャップ２５を組付け、断熱材２３を発砲充填させた後に取付ける。具体的には、ハンドル飾り前面４０ａの裏面を係止片３５の側壁３７などに当てながら下方へ降下させ、係合片３６及び嵌入孔２７に、ハンドル飾り４０の対応するフック４１，４２を当接させて位置決めする。そして、上方からハンドル飾り４０を押圧することでそれぞれのフック４１，係止爪４２が係合片３６及び嵌入孔２７と係合して、ハンドル飾り４０が取付けられる。
【００２３】
上記構成によれば、ドアキャップ２５の前方からほぼ下方に延在させた手掛け部３０を構成する手掛け片３１と、この手掛け片３１の前方下部に形成した係合部３５と、ドアキャップ２５の上面部から手掛け片３１のほぼ下端に亙ってこれらを覆い、上方向からの押圧によって係合部３５と係合してドアキャップ２５に取付けられるハンドル飾り４０とを備えたことにより、ハンドル飾り４０の下端は手掛け片３１の下端を覆っていないため、開扉動作の際に指が引掛かり取外れてしまうことを防止することができるとともに、手掛け片３１の前方下部に形成した係合部３５において、ハンドル飾り４０を強固に取付けることができる。
【００２４】
この場合、本発明では上方向からの押圧によってハンドル飾り４０を取付けているため、扉９の幅方向が大きくこれに合わせてハンドル飾り４０の幅寸法が大きくなっても取付けることができるとともに、ガタツキを低減することができる。さらに、取付け方向と手掛け部３０の引き手方向が異なっているため、ハンドル飾り４０が外れてしまうことを確実に防止することができる。
【００２５】
また、本発明では、係合部３５は手掛け片３１の下端面３２から上方に立設させた複数の係合片３６であり、ハンドル飾り４０の前面４０ａの裏側には、この係合片３６と係合するほぼＬ字状のフック４１を形成したことにより、手掛け部３０とハンドル飾り４０との合わせ面を自由に設定することができるとともに、ネジ止めや粘着テープを必要とせず、簡素な構成で取付作業を容易にすることができる。また、係合部３５は手掛け片３１の裏面であるため、係合部３５は可視されず、ハンドル飾り４０の装飾面のみを強調することができ、デザイン性に優れた扉９を提供することができる。
【００２６】
さらに、ハンドル飾り４０の固定は、複数の係合片３６とフック４１との係合関係により行われているため、ハンドル飾り４０と手掛け片３１との接触面を縮小化することができ、もって、きしみ等の異音の発生を低減することができる。さらにまた、手掛け片３１の下端面３１から上方に係合片３６を立設させているため、手掛け片３１の強度を強くすることができ、もって撓みなどを防止することができる。
【００２７】
さらに、本発明では、係合片３６の両側には手掛け片３１の前面と一体成形した側壁３７を形成し、この側壁３７をハンドル飾り４０の上方に延在させたことにより、係合部３５の強度を強くすることができるとともに、ハンドル飾り４０の取付時にはガイドの役割を果たし、作業性を向上させることができる。
【００２８】
さらにまた、本発明では、フック４１と対向する部分の手掛け片の肉厚３１は、他の部分よりも薄肉としたことにより、ハンドル飾り４０の強度を強くすることができ、変形や撓みを防止することができる。
【００２９】
なお、上述した構成は、本発明の一実施形態であり、発明の要旨を変更しない範囲で種々の変更が可能である。例えば、上述した構成は、引出し扉に用いられるハンドルにおいて説明したが、これに限らず回転式の扉などに採用してもよい。
【００３０】
また、ハンドル飾りは上部のみでなく、下部や左右に設けてもよく、左右に設ける場合には、ドアキャップを左右方向に取付ける構成が好ましい。さらに、ドアキャップは手掛け部と一体に成形されたものでなくても、手掛け部とドアキャップは別体であってもよい。
【産業上の利用可能性】
【００３１】
扉の手掛け部にハンドル飾りを取付ける種々の冷蔵庫に適応可能である。
【図面の簡単な説明】
【００３２】
【図１】本発明の一実施形態である扉を示す分解図である。
【図２】図７のＡ−Ａ線に沿う断面図である。
【図３】図１のＢ−Ｂ線に沿う断面図である。
【図４】図１のＣ−Ｃ線に沿う断面図である。
【図５】図１のＤ−Ｄ線に沿う断面図である。
【図６】図１の手掛け片を示す拡大斜視図である。
【図７】本発明の一実施形態である冷蔵庫を示す正面図である。
【図８】従来のハンドル飾りの取付構造を示す縦断面図である。
【図９】他の従来のハンドル飾りの取付構造を示す縦断面図である。
【符号の説明】
【００３３】
１…冷蔵庫本体            ３…野菜室                  ９…野菜室扉
２１…扉外板              ２２…扉内板                ２３…断熱材
２５…ドアキャップ      ２５ａ…上面部              ２５ｂ…前部
２７…嵌入孔              ３０…手掛け部              ３１…手掛け片
３１ａ…前面                ３２…下端面                ３５…係合部
３６…係合片              ３７…側壁                  ４０…ハンドル飾り
４０ａ…前面              ４０ｂ…上面                  ４１…フック
４２…係止爪
【図１】
2006090662.tif 000003
【図２】
2006090662.tif 000004
【図３】
2006090662.tif 000005
【図４】
2006090662.tif 000006
【図５】
2006090662.tif 000007
【図６】
2006090662.tif 000008
【図７】
2006090662.tif 000009
【図８】
2006090662.tif 000010
【図９】
2006090662.tif 000011